(57)【要約】      （修正有）【課題】ゴングのような共振メンバーが最良の音響放射を行うことを確実にするミュージカル携行型時計ケースを提供する。【解決手段】ベゼル２によってカバー１を受けて支える面１１、１４があるケースミドル部１０、及びケーシングリングとを有するミュージカル携行型時計ケース。ケースは、ケースミドル部に固定された少なくとも１つのゴング６を有しており、ケースミドル部の壁とは別個のものである共振部分を有し、ケースミドル部は、ベゼル又はケースミドル部にある突起７を介してカバーを支え、カバーアセンブリーが４〜６ｋＨｚの周波数で振動することが可能で、突起は、のガスケットとともに、ベゼルとケースミドル部の間の唯一の直接接触を形成しており、ベゼルとケースミドル部の間に、堅固な遠位端７１よりもフレキシブルであり厚みが各ゴングの断面が最も小さい箇所におけるものよりも薄いような薄い弾性のメジアン細長材７４を有している。【選択図】図１４
2019152659.tif 000002
【特許請求の範囲】
【請求項１】
ベゼル（２）と少なくとも１つの光透過部（３）を又はケース裏部（５）を有する少なくとも１つのカバーアセンブリー（１）と、ケーシングリング（４）と、前記カバーアセンブリー（１）を受けて支える第１の面（１１）及び前記ケーシングリング（４）を受けて支えるメジアン支持面（１４）があるケースミドル部（１０）とを有するミュージカル携行型時計ケース（１００）であって、
当該ケース（１００）は、前記ケースミドル部（１０）と一体的な少なくとも１つのゴング（６）を有しており、前記ケースミドル部（１０）の壁とは別個のものである共振部分を有し、
前記ケースミドル部（１０）は、前記ベゼル（２）又は前記ケースミドル部（１０）にある少なくとも１つの突起（７）を介して前記カバーアセンブリー（１）を支え、
前記カバーアセンブリー（１）が４〜６ｋＨｚの周波数で振動し放射することを可能にするように構成しており、
各突起（７）は、他のすべての前記突起（７）とは別個のものであり、他のすべての前記突起（７）とは接触しておらず、
前記少なくとも１つの突起（７）は、堅固な遠位端（７１）において、前記ケースミドル部（１０）又は前記ベゼル（２）とそれぞれ当接するように連係するように構成している少なくとも１つの支持面（７２）と、及び前記少なくとも１つの突起（７）をその少なくとも１つの支持面（７２）を介して堅く固定するように構成している固定手段（７３）とを有しており、
前記支持面（７２）は、前記ケースミドル部（１０）又は前記ベゼル（２）上にて載っており又は圧縮されており、
各突起（７）は、前記ケースミドル部（１０）と前記ベゼル（２）の間に、前記堅固な遠位端（７１）よりもフレキシブルであり厚みが各ゴング（６）の断面が最も小さい箇所におけるものよりも薄いような薄い弾性のメジアン細長材（７４）を有する
ケース（１００）。
【請求項２】
前記突起（７）は、少なくとも１つのシーリングガスケット（１０２）とともに、前記ベゼル（２）と前記ケースミドル部（１０）の間の唯一の直接接触を形成している
請求項１に記載のケース（１００）。
【請求項３】
前記突起（７）は、前記ベゼル（２）と前記ケースミドル部（１０）の間の唯一の直接接触を形成している
請求項１に記載のケース（１００）。
【請求項４】
各突起（７）は、当該ケース（１００）の中心に対する４５°未満の中心角度（α）の角区画にわたって延在している
請求項１に記載のケース（１００）。
【請求項５】
前記ケースミドル部（１０）は、当該ケース（１００）のバックカバーを形成しているか、又は前記カバーアセンブリー（１）にバックカバーがない場合にはバックカバー（５）を受けて支える第２の面（１５）を有している
請求項１に記載のケース（１００）。
【請求項６】
前記ケースミドル部（１０）又は前記カバーアセンブリー（１）は、光透過性であるバックカバー（５）を支える又は有する
請求項１に記載のケース（１００）。
【請求項７】
前記薄い弾性のメジアン細長材（７４）の厚みは、前記ケースミドル部（１０）の最も薄い厚みよりも薄く前記ベゼル（２）の最も薄い厚みよりも薄い
請求項１に記載のケース（１００）。
【請求項８】
前記ケースミドル部（１０）は、前記ケーシングリング（４）のまわりにて広がっている内側チャンバー（１７）を形成している少なくとも１つの実質的に環状の周部壁（１６）を有しており、
当該ケース（１００）は、前記内側チャンバー（１７）内に前記突起（７）を有する
請求項１に記載のケース（１００）。
【請求項９】
当該ケース（１００）の前記突起（７）はすべて、前記内側チャンバー（１７）内にある
請求項８に記載のケース（１００）。
【請求項１０】
前記ケースミドル部（１０）は、計時器用ムーブメント及び／又は計時器機構を支えるように構成している前記ケーシングリング（４）のまわりにて広がっている内側チャンバー（１７）を形成している少なくとも１つの実質的に環状の周部壁（１６）を有しており、
当該ケース（１００）は、前記ケースミドル部（１０）に対する前記内側チャンバー（１７）の反対側における前記ケースミドル部（１０）の外側にて、当該ケース（１００）のエッジの方を向いている突起（７）を有する
請求項１に記載のケース（１００）。
【請求項１１】
当該ケース（１００）の前記突起（７）はすべて、前記ケースミドル部（１０）に対する前記内側チャンバー（１７）の反対側にて、前記ケースミドル部（１０）の外側にあり、当該ケース（１００）のエッジの方を向いている
請求項１０に記載のケース（１００）。
【請求項１２】
当該ケース（１００）は、前記突起（７）を複数有し、各突起（７）は、前記ケースミドル部（１０）と前記ベゼル（２）の間に、薄い弾性の実質的にまっすぐなメジアン細長材（７４）を有しており、
前記薄い弾性の実質的にまっすぐな細長材（７４）のすべての方向は、同じ中心基準軸に対して同じ傾きを有する
請求項１に記載のケース（１００）。
【請求項１３】
前記薄い弾性の実質的にまっすぐなメジアン細長材（７４）はすべて、前記同じ中心基準軸のまわりの同じ回転面上に配置される
請求項１２に記載のケース（１００）。
【請求項１４】
前記回転面は、円錐面である
請求項１３に記載のケース（１００）。
【請求項１５】
前記回転面は、円筒面である
請求項１３に記載のケース（１００）。
【請求項１６】
前記薄い弾性の実質的にまっすぐなメジアン細長材（７４）はすべて、同じ平面内に配置されている又は同じ平面に平行である
請求項１２に記載のケース（１００）。
【請求項１７】
前記ケースミドル部（１０）は、前記ケーシングリング（４）のまわりにて広がっている内側チャンバー（１７）を形成している実質的に環状の周部壁（１６）のまわり、かつ、当該ケース（１００）にある前記突起（７）のすべてのまわりにて、前記ケースミドル部（１０）上に配置されている又は前記ケースミドル部（１０）のリップを形成している共振器リング（８）を有しており、
前記共振器リング（８）は、すべての点において前記ベゼル（２）と前記突起（７）から離れており、前記周部壁（１６）とともに外側放射空洞（１８）を形成している
請求項１に記載のケース（１００）。
【請求項１８】
前記共振器リング（８）は、各突起（７）よりも厚みが薄く、金及び／又は白金及び／又はチタンの合金で作られている
請求項１７に記載のケース（１００）。
【請求項１９】
前記ケースミドル部（１０）は、前記ケーシングリング（４）のまわりにて広がっている内側チャンバー（１７）を形成している少なくとも１つの実質的に環状の周部壁（１６）を有しており、
当該ケース（１００）は、前記ケースミドル部（１０）に対する前記ケーシングリング（４）のための前記メジアン支持面（１４）から離れた箇所に、少なくとも第１の実質的にリング状のサイレントブロックガスケット（９１）を有しており、
この第１の実質的にリング状のサイレントブロックガスケット（９１）は、動作しているミュージカルムーブメント又はストライク機構と、当該ケース（１００）の外装部品の間における振動の伝搬を抑えて各ゴング（６）の振動を妨げずに望まないノイズを減少させるように構成している
請求項１に記載のケース（１００）。
【請求項２０】
前記ケースミドル部（１０）は、前記ケーシングリング（４）のまわりにて広がっている内側チャンバー（１７）を形成している少なくとも１つの実質的に環状の周部壁（１６）を有しており、
当該ケース（１００）は、前記ケースミドル部（１０）に対する前記ケーシングリング（４）のための前記メジアン支持面（１４）上、かつ、前記ケーシングリング（４）と前記ケースミドル部（１０）の間にて、少なくとも第２の実質的にリング状のサイレントブロックガスケット（９２）を有しており、
この第２の実質的にリング状のサイレントブロックガスケット（９２）は、動作しているミュージカルムーブメント又はストライク機構と、当該ケース（１００）の外装部品の間の振動の伝搬を抑えて各ゴング（６）の振動を妨げずに望まないノイズを減少させるように構成している
請求項１に記載のケース（１００）。
【請求項２１】
当該ケース（１００）は、前記カバーアセンブリー（１）又は前記突起（７）に固定される少なくとも１つのゴング（６）を有する
請求項１に記載のケース（１００）。
【請求項２２】
前記ケースミドル部（１０）は、少なくとも１つの前記ゴング（６）と一体化されている
請求項１に記載のケース（１００）。
【請求項２３】
少なくとも１つの前記ゴング（６）は、前記ケースミドル部（１０）に付加されて固定されている
請求項１に記載のケース（１００）。
【請求項２４】
前記ケースミドル部（１０）は、金及び／又は白金及び／又はチタンの合金で作られている
請求項１に記載のケース（１００）。
【請求項２５】
ストライク機構（２０００）及び／又はアラーム機構（３０００）及び／又はミュージックボックス機構を有し、
請求項１に記載のケース（１００）を有する
ミュージカル携行型時計（１０００）。
【発明の詳細な説明】
【技術分野】
【０００１】
本発明は、一方では、ベゼル、そして他方では、少なくとも１つの光透過部又はケース裏部を有する少なくとも１つのカバーアセンブリーと、ケーシングリングと、前記カバーアセンブリーを受けて支える第１の面及び前記ケーシングリングを受けて支えるメジアン支持面があるケースミドル部とを有するミュージカル携行型時計ケースに関する。当該ケースは、前記ケースミドル部と一体的な少なくとも１つのゴングを有しており、前記ケースミドル部の壁とは別個のものである共振部分を有する。
【０００２】
本発明は、さらに、ストライク機構及び／又はアラーム機構及び／又はミュージックボックス機構と、及び前記のようなケースとを有するミュージカル携行型時計に関する。
【０００３】
本発明は、ストライク機構、アラーム機構及び／又はミュージックボックス機構を有するミュージカル携行型時計の分野に関する。
【背景技術】
【０００４】
ミュージカル携行型時計にとって、音響放射が良好であることは、克服することが困難な課題であり続けている。なぜなら、放射するメンバーは腕時計や懐中時計のような携行型時計のユーザーのと間に存在したり、携行型時計のシールに害を与えたりしてはならないからである。携行型時計の他の構成部品によって生成される望まない振動によって害されない音によってユーザーに聞こえるゴング、ディスクゴング、コーム、ベルなどの振動を放射するために、音の減衰はできるだけ小さくなければならない。このような携行型時計の他の構成部品は、例えば、ストライク機構やミュージック演奏アクティブ化機構、及び／又はストライク機構やミュージック演奏調整機構、及び／又は計時器用ムーブメントなどである。
【０００５】
MONTRES BREGUETによるスイス特許ＣＨ７１２２１６Ａ２は、共振するベゼルを備えたストライク機構付き又はミュージカル計時器を開示している。このミュージカル計時器は、ケースの構造又は共振器に固定されたゴングを有しており、この共振器は、突起によってチャンバーのまわりにて前記構造に堅固に組み付けられている。これによって、所定の周波数範囲内にて共振器が振動させることができる。チャンバーは、シール要素を包囲しており、このシール要素は、突起とともに前記構造と共振器部品の間にて唯一の機械的な接続を形成している。このチャンバーには、共振器の振動の減衰を最小にするために、２０ショアＡ未満の硬度を有し前記構造と前記共振器に接触している少なくとも１つのガスケットがある。携行型時計における用途において、携行型時計ケースは、構造と共振器を有しており、これらはシール要素を囲むチャンバーのまわりにて堅固に組み付けられており、この構造又は共振器には、ガスケットを受ける溝があり、この構造、共振器又はシール要素には、堅い突き出ているリリーフ部分があり、これが前記溝にあるガスケットを圧縮する。
【０００６】
MONTRES BREGUETによる欧州特許出願ＥＰ３００２６３９Ａ１は、ゴングを直接担持している又はゴングを形成しているベゼルを備える音響性能が改善されたミュージカル携行型時計ケースを開示している。このベゼルは、携行型時計の光透過部を受けるトロイド部分と、及び構造への取り付け手段を有する前記トロイド部分の平面に垂直な薄い突起とを有する。ケースは、ケースミドル部を有し、第１のＯリングシールを介してケースミドル部の主面に間接的に載っている前記のようなベゼルを担持している。ケースミドル部とベゼルは、圧力が与えられていないベゼルの自由状態においてベゼルが所定の非ゼロのクリアランスに対応する値の分この主面から離れているような位置に固定されて保持される。
【発明の概要】
【発明が解決しようとする課題】
【０００７】
本発明は、特に、携行型時計ケースのミドル部に固定された、ゴングのような共振メンバーが最良の音響放射を行うことを確実にすることを提案するものである。
【課題を解決するための手段】
【０００８】
このために、本発明は、請求項１に記載のミュージカル携行型時計ケースに関する。
【０００９】
本発明は、さらに、ストライク機構、アラーム機構及び／又はミュージックボックス機構と、及び前記のようなケースを有するミュージカル携行型時計に関する。
【００１０】
添付図面を参照しながら下記の詳細な説明を読むことで、本発明の他の特徴及び利点を理解することができるであろう。
【図面の簡単な説明】
【００１１】
【図１】図１〜１０は、本発明の異なる変種の概略断面図を示している。図１において、外側チャンバーは環状の壁によって部分的に閉じられており、この環状の壁内の外側チャンバーへとベゼル突起が軸方向に延在している。このベゼル突起はケースミドル部の最も下側の部分に固定され、これがその内側にて半径方向のサイレントブロックガスケットを介してケーシングリングを支える。
【図２】ケースミドル部に固定されたベゼル突起が内側チャンバー内へと軸方向に延在しており、ケースミドル部は、その内側にて、半径方向のサイレントブロックガスケットを介してケーシングリングを支える。
【図３】ケースミドル部が軸方向のサイレントブロックガスケットを介してケーシングリングを支えている構成の詳細である。
【図４】ケースミドル部が半径方向のサイレントブロックガスケットと軸方向のサイレントブロックガスケットを介してケーシングリングを支えている構成の詳細である。
【図５】ベゼル突起が、ケースミドル部の最も下側の部分に固定された外側チャンバーの軸方向外側に延在しており、ケースミドル部は、その内側にて、半径方向のサイレントブロックガスケットを介してケーシングリングを支えている。
【図６】外側チャンバーが環状の壁によって部分的に閉じられており、この環状の壁の外側チャンバー内に、ケースミドル部の最も下側の部分に固定されたベゼル突起が傾斜して延在しており、ケースミドル部は、その内側にて、半径方向のサイレントブロックガスケットを介してケーシングリングを支えている。
【図７】ベゼル突起がケースミドル部の半径方向外側にて延在しており、このケースミドル部は、その内側にて、半径方向のサイレントブロックガスケットを介してケーシングリングを担持している。
【図８】伝統的なケースミドル部が軸方向のサイレントブロックガスケットを介してケーシングリングを支えている構成の詳細である。
【図９】半径方向のサイレントブロックガスケットと、断面が実質的に長方形である平形ガスケットによって形成される軸方向のサイレントブロックガスケットを介して伝統的なケースミドル部がケーシングリングを支えている構成の詳細である。
【図１０】ベゼル突起がケースミドル部の外側にて横方向に支えられて半径方向に延在しており、ケースミドル部が、その内側にて、半径方向のサイレントブロックガスケットを介してケーシングリングを支えている別の変種を示している。
【図１１】４つのまっすぐな半径方向の突起を有する図１０のベゼルを上から見た図であり、各突起は２０°未満の中心角度の角区画にわたって延在している。
【図１２】スパイラル状に構成している６つの突起を有する別のベゼルを上から見た図であり、各突起は４５°未満の中心角度の角区画にわたって延在している。
【図１３】ストライク機構とアラーム機構を有しており本発明に係るケースを有しているミュージカル携行型時計を示しているブロック図である。
【図１４】チタン合金で作られており、ケースミドル部を有している本発明に係るケースの一部の概略的な分解斜視図である。このケースミドル部上にはゴングが固定されており、このケースミドル部には空洞があり、この空洞の底部にはカバーアセンブリーのベゼルにある３つの突起の端が固定されており、さらに、光透過部がある。
【図１５】図１４のケースを上から見た図である。
【図１６】図１４と同様な形態で、４つの突起を有する１８カラットの金合金で作られたケースを示している。
【図１７】図１５と同様な形態で、４つの突起を有する１８カラットの金合金で作られたケースを示している。
【図１８】図１４のベゼル突起の半径方向に沿った面の断面図である。
【発明を実施するための形態】
【００１２】
本発明は、少なくとも１つのカバーアセンブリー１を有するミュージカル携行型時計ケース１００に関する。このカバーアセンブリー１は、一方では、ベゼル２を有し、他方では、少なくとも１つの風防である光透過部３又はケース裏部５を有する。
【００１３】
なお、すべての図に示しているように、ケース１００は、ベゼル２と光透過部３を備えた上側カバーアセンブリー１を有することができ、ベゼル２とケース裏部５を備えた下側カバーアセンブリー１を有することができ、あるいはベゼル２と光透過部３を備えた上側カバーアセンブリー１とベゼル２とケース裏部５を備えた下側カバーアセンブリー１の両方を有することができることを理解することができるであろう。
【００１４】
「ミュージカル携行型時計」は、ストライク機構及び／又はアラーム機構及び／又はミュージックボックス機構を有する携行型時計を意味する。
【００１５】
また、ケース１００は、ムーブメント及び／又は機構を担持しているように構成しているケーシングリング４、及びケースミドル部１０を有する。
【００１６】
このケースミドル部１０には、カバーアセンブリー１を受けて支える第１の面１１及びケーシングリング４を受けて支えるメジアン面１４がある。
【００１７】
このケースミドル部１０は、ケース１００の底部を形成するか、又は、ベゼル２とバックカバー５を有する下側カバーアセンブリーを受けて支え又はバックカバー５を直接受ける第２の面１５がある。第１の面１１上に載っているカバーアセンブリー１がベゼル２とケース裏部５を有する場合、第２の面１５は、当然、光透過部３、又はベゼル２と光透過部３を有する別のカバーアセンブリー１を受けるように構成していることができる。
【００１８】
特に、ケース１００は、光透過性であるバックカバー５を有する。
【００１９】
ケース１００は、少なくとも１つの共振メンバー、特に、ケースミドル部１０と一体的なゴング６、を有している。これは、すなわち、ケースミドル部１０に付加されて固定されていたり、ケースミドル部１０と一体化されていることである。ケース１００は、ケースミドル部１０の壁とは別個のものである共振部分を有する。この共振メンバーは、本発明の本質を変えずに、ゴングとは異なる形態であることができる。したがって、「ゴング」６は、ゴング、ディスクゴング、コーム、ベルのような、計時器において通常用いられるいずれの共振メンバーをも意味している。
【００２０】
ケースミドル部１０は、ベゼル２又はケースミドル部１０にある少なくとも１つの突起７を介してカバーアセンブリー１を支えており、この突起７は、４〜６ｋＨｚの周波数でカバーアセンブリー１の振動と放射が可能になるように構成している。
【００２１】
各突起７は、ケース１００の中心に対する４５°未満の中心角度αにわたる角区画に延在しており、いずれの他の前記突起７とは別個のものであり、いずれの他の突起７とも接触しない。
【００２２】
変種の１つにおいて、この一又は複数の突起７は、ベゼル２とケースミドル部１０の間の唯一の直接接触を形成している。
【００２３】
別の変種において、図面に示しているように、この一又は複数の突起７は、少なくとも１つのシーリングガスケット１０２とともに、ベゼル２とケースミドル部１０の間の唯一の直接接触を形成している。
【００２４】
特に、各突起７は、ケース１００の中心に対する４５°未満の中央角度αにわたる角区画にて延在している。
【００２５】
特に、この少なくとも１つの突起７は、堅固な遠位端７１において、ケースミドル部１０又はベゼル２と当接するように連係するように構成している少なくとも１つの支持面７２と、及び及びケースミドル１０又はベゼル２上にて載っている又は圧縮されている少なくとも１つの支持面によって前記突起７を賢固に固定するように構成している固定手段７３とを有する。
【００２６】
また、特に、少なくとも１つの突起７、好ましくは各突起７は、ケースミドル部１０とベゼル２の間に薄い弾性メジアン細長材７４を有し、これは、堅固な遠位端７１よりもフレキシブルであり、その厚みは、特に、ケースミドル部１０の最も薄い厚みよりも薄く、ベゼル２の最も薄い厚みよりも薄い。
【００２７】
本発明によると、少なくとも１つの突起７又は各突起７は、ケースミドル部１０とベゼル２の間に、薄い弾性メジアン細長材７４を有し、これは、堅固な遠位端７１よりもフレキシブルであり、その厚みは、特に、各ゴング６の断面が最も小さい箇所におけるものよりも薄い。
【００２８】
特定の実施形態において、ケースミドル部１０は、少なくとも１つの実質的に環状の周部壁１６を有し、これは、ケーシングリング４のまわりにて広がっている内側チャンバー１７を形成している。特に、ケース１００は、この内側チャンバー１７内に突起７を有する。特に、ケース１００の突起７のすべてが内側チャンバー１７内にある。
【００２９】
本発明の別の変種において、ケースミドル部１０は、計時器用ムーブメント及び／又は計時器用機構を支えるように構成しているケーシングリング４のまわりに広がっている内側チャンバー１７を形成している少なくとも１つの実質的に環状の周部壁１６を有し、ケース１００は、ケースミドル部１０に対して内側チャンバー１７とは反対側のケースミドル部１０の外側にて、ケース１００のエッジ部の方を向いている突起７を有する。また、特に、ケース１００の突起７のすべては、ケースミドル部１０に対して内側チャンバー１７とは反対側のケースミドル部１０の外側にあり、ケース１００のエッジの方を向いている。
【００３０】
本発明の特定の実施形態において、ケースは、このような突起７を複数有し、その各突起７は、ケースミドル部１０とベゼル２の間に、薄い弾性の実質的にまっすぐなメジアン細長材７４を有し、これらの薄い弾性の実質的にまっすぐな細長材７４のすべての向きは、同じ中央基準軸に対する傾きが同じである。
【００３１】
本発明の特定の実施形態において、薄い弾性の実質的にまっすぐなメジアン細長材７４はすべて、同じ中央基準軸を中心とする同じ回転面上に配置されている。
【００３２】
特定の変種において、この回転面は円錐面である。
【００３３】
特定の変種において、この回転面は円筒面である。
【００３４】
別の変種において、薄い弾性の実質的にまっすぐなメジアン細長材７４はすべて、同じ平面内に又は同じ平面に平行な平面内に配置されている。
【００３５】
本発明の特定の特徴によると、ケースミドル部１０は、ケーシングリング４のまわりに広がっている内側チャンバー１７を形成している実質的に環状の周部壁１６のまわりに、そして、ケース１００にあるすべての突起７のまわりに、共振器リング８を有する。これは、ケースミドル部１０に付加されていたり、ケースミドル部１０のリップ部を形成したりしている。この共振器リング８は、すべての点において、ベゼル２と突起７から離れており、周部壁１６とともに外側放射空洞１８を形成している。特に、共振器リング８の厚みは、各突起７の厚みよりも薄く、金及び／又は白金及／又はチタンの合金で作られている。
【００３６】
特定の好ましい形態において、ケース１００の金属構成部分の少なくとも１つ、特に、ケース１００の金属構成部分のすべては、光透過部とシーリングガスケットを例外として、金属合金又は金によって作られる実施形態によって得られる臨界放射周波数以下の臨界放射周波数を可能とする材料によって作られている。特に、ケースミドル部１０、ベゼル部２、そして、ケース１００が金属製のケース裏部５を有する場合、バックカバー５は、同じ合金によって作られている。また、特に、この合金は、チタン合金である。これは、機械的応力に、そして、少なくとも５ｂａｒで通常見られるようなシーリング応力に良好に適しており、放射パワーは金よりも大きい。この選択によって、４〜６ｋＨｚの所望の範囲における固有周波数を得ることが可能になる。特定の変種において、この合金は、チタンを９０％、アルミニウムを６％、バナジウムを４％含有するグレード５チタンである。別の変種においてこの合金は、Montres Breguet SAによる国際特許出願ＰＣＴ／ＥＰ２０１５／０８０２１１とＰＣＴ／ＥＰ２０１５／０８０２７０のいずれかに記載されているチタンの貴金属合金、特に、チタンと金の貴金属合金である。特に、グレードを付与された合金が選ばれる。
【００３７】
具体的には、光透過部３は、サファイアで作られている。これも適切な放射を確実にするためである。同様に、ケース１００のケース裏部５が光透過部を有する場合、この光透過部は、好ましくは、サファイアで作られる。
【００３８】
本発明の特定の特徴によると、ケースミドル部１０は、ケーシングリング４のまわりに延在している内壁１７を形成している少なくとも１つの実質的に環状の周部壁１６を有しており、ケース１００は、ケースミドル部１０上のケーシングリング４のためのメジアン支持面１４から離れた位置に、少なくとも第１の実質的にリング状のサイレントブロックガスケット９１を有する。これは、動作しているミュージカルムーブメント又はストライク機構と、ケース１００の外側部品との間の振動の伝搬を抑え、各ゴング６の振動を妨げずに、望まないノイズを減らすように構成している。
【００３９】
本発明の別の特定の特徴によると、ケースミドル部１０は、ケーシングリング４のまわりに広がっている内側チャンバー１７を形成している少なくとも１つの実質的に環状の周部壁１６を有しており、ケース１００は、ケースミドル部１０に対するケーシングリング４のためのメジアン支持面１４上、かつ、ケーシングリング４とケースミドル部１０の間に、少なくとも第２の実質的にリング状のサイレントブロックガスケット９２を有しており、これは、動作しているミュージカルムーブメント又はストライク機構と、ケース１００の外側部品との間の振動の伝搬を抑えて、各ゴング６の振動を妨げずに、望まないノイズを減らすように構成している。
【００４０】
図１４及び１５は、ゴング６が固定されたケースミドル部１０を有する本発明に係るケース１００の特定の実施形態を示しており、このケースミドル部１０には空洞１０７があり、その空洞１０７の底部には、カバーアセンブリー１のベゼル２にある突起７の堅固な端７１が固定され、このカバーアセンブリー１は、さらに、光透過部３を有する。特に、このケースミドル部１０は、グレード５チタンのようなチタン合金で作られており、ベゼル２には、互いに実質的に１２０°離れておりそれぞれが１１．５°の中心角度αを形成するように延在している３つの突起７を有する。半径ＲＡは３５．４５５ｍｍであり、半径ＲＢは３８．５５ｍｍである。カバーアセンブリー１（ベゼルと光透過部）の質量は、約１０ｇである。
【００４１】
別の変種において、図１６及び１７に示しているように、ケースミドル部１０は、グレードが付与された金合金で作られており、ベゼルは、互いに実質的に９０°離れており、それぞれが１１．５°の中心角度を形成するように延在している４つの突起７を有する。カバーアセンブリー１（ベゼルと光透過部）の質量は、約１９ｇである。
【００４２】
図１８は、図１４〜１７の実施形態のために用いられる突起７の断面を示している。薄いメジアン細長材７４は、０．６０ｍｍの厚みＥ及び２．１８ｍｍの高さＨを有する。
【００４３】
本発明の特定の特徴によると、ケースミドル部１０は、少なくとも１つのゴング６と一体化されている。
【００４４】
本発明の特定の特徴によると、ケースミドル部１０は、金及び／又は白金及び／又はチタンの合金によって作られている。
【００４５】
特定の変種において、ケース１００は、少なくとも１つのゴング６を有しており、これは、ケース１００にあるカバーアセンブリー１に固定されており、ベゼルと一体化されていたり、突起７に固定されていたり、突起７と一体化されていたりする。
【００４６】
別の代替形態において、ケースミドル部１０は、ベゼル２又はケースミドル部１０にある少なくとも１つの突起７によってカバーアセンブリー１を支える。一又は複数の突起７の向きは重要ではなく、これらの突起の最小のメジアン断面は、その同じ突起の端の断面よりも小さく、このメジアン断面は、ゴングの断面のうちの最も小さい断面よりも大きく、さらに、特定の変種において、ゴングの最も大きい断面よりも大きい。
【００４７】
本発明は、さらに、ストライク機構２０００及び／又はアラーム機構３０００及び／又はミュージックボックス機構を有しており前記のようなケース１００を有しているミュージカル携行型時計１０００に関する。
【符号の説明】
【００４８】
１  カバーアセンブリー
２  ベゼル
３  風防である光透過部
４  ケーシングリング
５  バックカバー
６  ゴング
７  突起
８  共振器リング
１０  ケースミドル部
１１  第１の面
１４  メジアン支持面
１５  第２の面
１６  周部壁
１７  内側チャンバー
１８  外側放射空洞
７１  堅固な遠位端
７２  支持面
７３  固定手段
７４  薄い弾性のメジアン細長材
９１  第１の実質的にリング状のサイレントブロックガスケット
９２  第２の実質的にリング状のサイレントブロックガスケット
１００  ケース
１０２  シーリングガスケット
１０００  ミュージカル携行型時計
２０００  ストライク機構
３０００  アラーム機構
【図１】
2019152659.tif 000003
【図２】
2019152659.tif 000004
【図３】
2019152659.tif 000005
【図４】
2019152659.tif 000006
【図５】
2019152659.tif 000007
【図６】
2019152659.tif 000008
【図７】
2019152659.tif 000009
【図８】
2019152659.tif 000010
【図９】
2019152659.tif 000011
【図１０】
2019152659.tif 000012
【図１１】
2019152659.tif 000013
【図１２】
2019152659.tif 000014
【図１３】
2019152659.tif 000015
【図１４】
2019152659.tif 000016
【図１５】
2019152659.tif 000017
【図１６】
2019152659.tif 000018
【図１７】
2019152659.tif 000019
【図１８】
2019152659.tif 000020